(57)【特許請求の範囲】
【請求項１】
内部に第１の流体を収納する第１の収納空間を画成する内容器と、
内部に前記内容器を収納し、その収納された内容器との間で、第２の流体を収納する第２の収納空間を画成する外容器と、
基端側が前記第２の収納空間と連通し、先端側から前記第２の流体を排出する内流路を有する内管と、前記内管の外周側に設けられた外管とから構成されたノズルとを備え、
前記ノズルは、前記外容器内に挿入されており、前記外管の管壁と前記内管の管壁とを貫通し、前記内管の内流路に臨む開口部を有する貫通管により形成され、前記内流路と前記第２の収納空間とを連通する側方流路を有し、
前記内管は、前記貫通管の開口部よりも基端側に、前記内流路と前記第１の収納空間とを隔てる隔壁部とを有し、
前記外管は、前記内管との間で画成され、基端側が前記第１の収納空間と連通し、先端側から前記第１の流体を排出する外流路と、基端部に前記外流路と前記第１の収納空間とを連通する開口部を有することを特徴とする収納容器。
【請求項２】
前記ノズルは、前記外管の基端外周部に設けられ、前記内容器と液密に固定された第１の基部と、該第１の基部よりも先端側の前記外管の外周部に設けられ、前記外容器と液密に固定された第２の基部とを備える請求項１に記載の収納容器。
【請求項３】
前記内管と前記外管とは、ほぼ円筒状で、同心的に設けられており、周方向に部分的に設けられた接続部を介して接続されている請求項１または２に記載の収納容器。
【請求項４】
前記内管は、前記外管の先端から突出している請求項１ないし３のいずれかに記載の収納容器。
【請求項５】
前記ノズルは、前記外管の外周側に設けられており、前記外管の先端から突出している管状部を有する先端ノズルを備え、
前記管状部は、前記外管より先端側の前記内管との間で画成され、前記外流路と連通する外流路延長部を有する請求項４に記載の収納容器。
【請求項６】
前記管状部は、前記内管の先端から突出し、その内径が先端に向かって漸減している請求項５に記載の収納容器。
【請求項７】
前記外流路延長部には、該外流路延長部を通過する第１の流体の流量を規制する流量規制部が形成されている請求項５または６に記載の収納容器。
【請求項８】
前記流量規制部は、前記内管の先端外周面に突出形成された突部、または、前記管状部の内周面に突出形成された突部で構成されている請求項７に記載の収納容器。
【請求項９】
前記ノズルは、前記外管の基端外周部に設けられ、前記内容器と液密に固定された第１の基部と、該第１の基部よりも先端側の前記外管の外周部に設けられ、前記外容器と液密に固定された第２の基部と、前記外管の外周側に設けられており、前記外管の先端から突出している管状部を有する先端ノズルとを備え、
前記先端ノズルは、前記管状部の基端部に設けられ、前記外容器と液密に固定された基部を備え、
前記先端ノズルの基部は、基端面に前記第２の収納空間に臨む開口が設けられた凹部と、先端部に前記管状部の内腔と前記凹部とを連通する貫通孔とを有し、
前記外管は、前記第１の基部よりも先端側に、前記外管の側方から突出し、前記凹部に液密に固定される取付部を有し、
前記第２の基部は、前記先端ノズルの基部と前記取付部とから構成される請求項１ないし８のいずれかに記載の収納容器。
【請求項１０】
前記管状部には、前記第１の流体および前記第２の流体が通過するチューブのコネクタが接続可能である請求項５ないし９のいずれかに記載の収納容器。
【請求項１１】
前記内容器および前記外容器は、それぞれ、軟質なバッグである請求項１ないし１０のいずれかに記載の収納容器。
【請求項１２】
請求項１ないし１１のいずれかに記載の収納容器を備え、
前記第２の収納空間には、前記第２の流体として、本剤である半固形の栄養剤を収納し、
前記第１の収納空間には、前記第１の流体として、前記第２の収納空間から前記本剤を排出する際に該本剤の流動を促進可能であり、前記本剤より粘度が低い潤滑剤を収納したことを特徴とする経管栄養剤投与セット。
【発明の詳細な説明】
【技術分野】
【０００１】
本発明は、収納容器および経管栄養剤投与セットに関する。
【背景技術】
【０００２】
従来、食物の経口摂取が不可能あるいは不十分な場合の栄養補給や、消化管手術後の患部の安静のため、または吸啜・嚥下できない新生児や乳児に対する授乳や投薬を目的として経管栄養が行われる場合がある。経管栄養とは、栄養剤を収容した栄養剤バッグに接続されたチューブ（例えばカテーテル等）を鼻腔や口腔等から胃、十二指腸等まで挿入、または胃ろうに接続し、かかるチューブを介して液状の栄養剤を注入することをいう。この経管栄養を行なうための医療器具としては、経管栄養剤が充填されたシリンジと、シリンジの口部に接続されるチューブとを有するものが知られている（例えば、特許文献１参照）。
【０００３】
ところで、近年、投与される栄養剤には、半固形状（例えば粘度が常温で１０００〜５００００ｃｐ）のものがある。この半固形状の栄養剤は、液状の栄養剤に比べ、例えば、次のような利点がある。
・栄養剤が投与された者に下痢が生じるのが防止または抑制される。
・生体内での栄養剤の胃食道逆流を防止することができる。
・栄養剤の投与時間を短縮することができる。
【０００４】
特許文献１に記載の医療器具では、半固形状の栄養剤をシリンジに充填して、当該シリンジのプランジャを押圧操作して栄養剤投与を行なおうとしても、栄養剤が半固形状であるので、特にチューブ内で比較的大きな圧力損失が生じる。このため、栄養剤のチューブ内での通過が妨げられ、当該栄養剤が充分に投与されず、また、栄養剤投与時間も浪費される。
【先行技術文献】
【特許文献】
【０００５】
【特許文献１】特開２００３−２０１２３０号公報
【発明の概要】
【発明が解決しようとする課題】
【０００６】
本発明の目的は、半固形状の栄養剤のような粘度の高い流体がチューブを通過する際に、その通過が円滑に行なわれる収納容器および経管栄養剤投与セットを提供することにある。
【課題を解決するための手段】
【０００７】
このような目的は、下記（１）〜（１２）の本発明により達成される。
（１）  内部に第１の流体を収納する第１の収納空間を画成する内容器と、
内部に前記内容器を収納し、その収納された内容器との間で、第２の流体を収納する第２の収納空間を画成する外容器と、
基端側が前記第２の収納空間と連通し、先端側から前記第２の流体を排出する内流路を有する内管と、前記内管の外周側に設けられた外管とから構成されたノズルとを備え、
前記ノズルは、前記外容器内に挿入されており、前記外管の管壁と前記内管の管壁とを貫通し、前記内管の内流路に臨む開口部を有する貫通管により形成され、前記内流路と前記第２の収納空間とを連通する側方流路を有し、
前記内管は、前記貫通管の開口部よりも基端側に、前記内流路と前記第１の収納空間とを隔てる隔壁部とを有し、
前記外管は、前記内管との間で画成され、基端側が前記第１の収納空間と連通し、先端側から前記第１の流体を排出する外流路と、基端部に前記外流路と前記第１の収納空間とを連通する開口部を有することを特徴とする収納容器。
【０００９】
（２）  前記ノズルは、前記外管の基端外周部に設けられ、前記内容器と液密に固定された第１の基部と、該第１の基部よりも先端側の前記外管の外周部に設けられ、前記外容器と液密に固定された第２の基部とを備える上記（１）に記載の収納容器。
【００１０】
（３）  前記内管と前記外管とは、ほぼ円筒状で、同心的に設けられており、周方向に部分的に設けられた接続部を介して接続されている上記（１）または（２）に記載の収納容器。
【００１１】
（４）  前記内管は、前記外管の先端から突出している上記（１）ないし（３）のいずれかに記載の収納容器。
【００１２】
（５）  前記ノズルは、前記外管の外周側に設けられており、前記外管の先端から突出している管状部を有する先端ノズルを備え、
前記管状部は、前記外管より先端側の前記内管との間で画成され、前記外流路と連通する外流路延長部を有する上記（４）に記載の収納容器。
【００１３】
（６）  前記管状部は、前記内管の先端から突出し、その内径が先端に向かって漸減している上記（５）に記載の収納容器。
【００１４】
（７）  前記外流路延長部には、該外流路延長部を通過する第１の流体の流量を規制する流量規制部が形成されている上記（５）または（６）に記載の収納容器。
【００１５】
（８）  前記流量規制部は、前記内管の先端外周面に突出形成された突部、または、前記管状部の内周面に突出形成された突部で構成されている上記（７）に記載の収納容器。
【００１６】
（９）  前記ノズルは、前記外管の基端外周部に設けられ、前記内容器と液密に固定された第１の基部と、該第１の基部よりも先端側の前記外管の外周部に設けられ、前記外容器と液密に固定された第２の基部と、前記外管の外周側に設けられており、前記外管の先端から突出している管状部を有する先端ノズルとを備え、
前記先端ノズルは、前記管状部の基端部に設けられ、前記外容器と液密に固定された基部を備え、
前記先端ノズルの基部は、基端面に前記第２の収納空間に臨む開口が設けられた凹部と、先端部に前記管状部の内腔と前記凹部とを連通する貫通孔とを有し、
前記外管は、前記第１の基部よりも先端側に、前記外管の側方から突出し、前記凹部に液密に固定される取付部を有し、
前記第２の基部は、前記先端ノズルの基部と前記取付部とから構成される上記（１）ないし（８）のいずれかに記載の収納容器。
【００１７】
（１０）  前記管状部には、前記第１の流体および前記第２の流体が通過するチューブのコネクタが接続可能である上記（５）ないし（９）のいずれかに記載の収納容器。
【００１８】
（１１）  前記内容器および前記外容器は、それぞれ、軟質なバッグである上記（１）ないし（１０）のいずれかに記載の収納容器。
【００１９】
（１２）  上記（１）ないし（１１）のいずれかに記載の収納容器を備え、
前記第２の収納空間には、前記第２の流体として、本剤である半固形の栄養剤を収納し、
前記第１の収納空間には、前記第１の流体として、前記第２の収納空間から前記本剤を排出する際に該本剤の流動を促進可能であり、前記本剤より粘度が低い潤滑剤を収納したことを特徴とする経管栄養剤投与セット。
【発明の効果】
【００２０】
本発明によれば、例えば第２の流体が半固形状の栄養剤のような粘度の高い流体である場合、その第２の流体は、コネクタに接続されたチューブ内を第１の流体とともに通過する。この第１の流体によって、第２の流体のチューブ内での流路抵抗（圧力損失）が抑制されて、その通過が円滑に行なわれる（促進される）。これにより、栄養剤の迅速かつ確実な投与が可能となる。
【００２１】
また、第２の流体と第１の流体とが合流した際には、第１の流体が第２の流体よりも外側を流れる。これにより、ノズルの先端部において、第１の流体が第２の流体を囲むこととなり、よって、第２の流体の通過がさらに促進される。
【００２２】
特に、本発明によれば、使用前の状態で、粘度のより高い第２の流体が、第１の流体の外側に配置されるので、外容器を押圧すれば、その押圧力を第２の流体のみならず第１の流体にも均一かつ確実に付与することができる。これにより、第２の流体および第１の流体を、それぞれ、第２の収納空間および第１の収納空間から確実に排出することができる。
【図面の簡単な説明】
【００２３】
【図１】本発明の経管栄養剤投与セット（収納容器）の第１実施形態を示す部分縦断面側面図である。
【図２】図１に示す経管栄養剤投与セットのノズルの縦断面図である。
【図３】図１に示す経管栄養剤投与セットのノズルの縦断面図である。
【図４】図１中の一点鎖線で囲まれた領域［Ａ］の拡大縦断面図である。
【図５】図１中の一点鎖線で囲まれた領域［Ａ］の拡大横断面図である。
【図６】本発明の経管栄養剤投与セット（第２実施形態）のノズルの縦断面図である。
【発明を実施するための形態】
【００２４】
以下、本発明の収納容器および経管栄養剤投与セットを添付図面に示す好適な実施形態に基づいて詳細に説明する。
【００２５】
＜第１実施形態＞
図１は、本発明の経管栄養剤投与セット（収納容器）の第１実施形態を示す部分縦断面側面図、図２および図３は、それぞれ、図１に示す経管栄養剤投与セットのノズルの縦断面図、図４は、図１中の一点鎖線で囲まれた領域［Ａ］の拡大縦断面図、図５は、図１中の一点鎖線で囲まれた領域［Ａ］の拡大横断面図である。なお、以下では、説明の都合上、図１〜図３、図６中の上側を「先端」、下側を「基端」と言う。
【００２６】
図１に示す経管栄養剤投与セット１は、経管栄養を行なう際に用いられる医療器具である。「経管」には、例えば、経腸、経胃等が含まれる。
【００２７】
この経管栄養剤投与セット１は、収納容器１０を備えている。この収納容器１０は、外容器である中空の長尺な外バッグ（栄養剤バッグ）２ａと、外バッグ２ａ内に収納された内容器である中空の長尺な内バッグ（潤滑剤バッグ）２ｂと、外バッグ２ａおよび内バッグ２ｂに接続されたノズル３とを有している。外バッグ２ａ内には、経管栄養剤（第２の流体（以下単に「栄養剤」と言う））Ｑ１が予め液密的に収納されており、内バッグ２ｂ内には、潤滑剤（第１の流体）Ｑ２が予め収納されている。
【００２８】
また、ノズル３には、生体内に予め留置され、可撓性を有するチューブ（挿管用チューブ）１３、すなわち、鼻腔、口腔等から胃、十二指腸等まで挿入されているチューブ１３のコネクタ１３１が接続されている。
【００２９】
このような経管栄養剤投与セット１は、図１に示す状態で用いられる、すなわち、経管栄養が行なわれる。そして、経管栄養が行なわれた後には、経管栄養剤投与セット１は、チューブ１３から取り外され、破棄される。
【００３０】
外バッグ２ａと内バッグ２ｂとは、収納されるものが異なることと大きさが互いに異なること以外は、構成がほぼ同一である（図１参照）ため、以下、外バッグ２ａについて代表的に説明する。
【００３１】
外バッグ２ａは、内部に内バッグ２ｂを収納し、内バッグ２ｂとの間で栄養剤Ｑ１を収納可能な第２の収納空間２３ａを画成している。
【００３２】
外バッグ２ａは軟質材料（例えば樹脂材料）で構成された袋状をなし、栄養剤Ｑ１が予め収容され密封された容器である。これにより、外バッグ２ａを圧迫して、当該外バッグ２ａ内の栄養剤Ｑ１を排出する（押し出す）際、その操作を容易に行なうことができる。なお、栄養剤Ｑ１の排出量は、外バッグ２ａの硬さや外バッグ２ａに対する圧迫力の大きさ等で調整することができる。
【００３３】
外バッグ２ａは、柔軟な樹脂製シート材を重ね、その外縁をシール（例えば熱融着若しくは高周波融着等または接着）することにより袋状に成形したものが好ましい。周囲をシール部２２によって囲まれるその内側には、内バッグ２ｂが収納され、これらの間に第２の収納空間２３ａが画成されている。この第２の収納空間２３ａに、外バッグ２ａの内容物である栄養剤Ｑ１が収納されている。
【００３４】
外バッグ２ａの構成材料としては、例えばポリエチレン、ポリプロピレン、ポリブタジエン、エチレン−酢酸ビニル共重合体（ＥＶＡ）のようなポリオレフィン、ポリエチレンテレフタレート（ＰＥＴ）、ポリブチレンテレフタレート（ＰＢＴ）のようなポリエステル、軟質ポリ塩化ビニル、ポリ塩化ビニリデン、シリコーン、ポリウレタン、ポリアミドエラストマー等の各種熱可塑性エラストマーあるいはこれらを任意に組み合わせたもの（ブレンド樹脂、ポリマーアロイ、積層体等）が挙げられる。
【００３５】
さらに、栄養剤Ｑ１中成分の経時劣化・分解等を抑制し品質保持を図るために、上記材料で構成されたシート材表面上に、酸素バリア性や遮光性等を付与するためにアルミ箔等のフィルムをさらに積層したり、または酸素バリア性付与のために、酸化チタン、酸化アルミニウム、酸化ケイ素等の酸化物からなる蒸着膜等の薄膜を形成することも可能である。また、外バッグ２ａの強度を向上させ耐落下性、耐レトルト加工性を確保するために前記シート材は、同一または異なる材料からなる層（補強層）を複数積層したものであってもよい。
【００３６】
図１の構成では、外バッグ２ａの幅方向（図１中左右方向）のほぼ中央部に、例えば、溶着、接着等の方法によりノズル３が固定されている。
【００３７】
前述したように、外バッグ２ａの第２の収納空間２３ａには、栄養剤Ｑ１が収納されて（充填されて）いる。この栄養剤Ｑ１としては、例えば、半消化態栄養剤、消化態栄養剤、成分栄養剤（ＥＤ）、流動食、ミキサー食等が挙げられる。また、栄養剤Ｑ１は、半固形状をなし、その粘度としては、特に限定されないが、例えば、常温で１０００ｃｐ以上に調整されて（設定されて）いるのが好ましく、１０００〜５００００ｃｐに調整されているのがより好ましい。このような粘度の調整方法としては、特に限定されないが、例えば、栄養剤Ｑ１中の水分量、ゲル化剤量、増粘剤量を調整する方法が挙げられる。
【００３８】
なお、粘度は、Ｂ型粘度計（例えば、東機産業社製「ＢＬ型」）を用いて、測定することができる。
【００３９】
このように栄養剤Ｑ１が半固形状をなすものであることにより、例えば、栄養剤Ｑ１が液状であるときに比べ、次のような利点がある。
・栄養剤Ｑ１が投与された者に下痢が生じるのが防止または抑制される。
・生体内での栄養剤Ｑ１の胃食道逆流を防止することができる。
・栄養剤Ｑ１の投与時間を短縮することができる。
【００４０】
かかる外バッグ２ａ内には、内バッグ２ｂが収納されている。図１の構成では、内バッグ２ｂの幅方向（図１中左右方向）のほぼ中央部に、例えば、溶着、接着等の方法によりノズル３が固定されている。
【００４１】
また、内バッグ２ｂの第１の収納空間２３ｂには、栄養剤Ｑ１より粘度が低い潤滑剤Ｑ２が収納されて（充填されて）いる。この潤滑剤Ｑ２は、栄養剤Ｑ１が外バッグ２ａから排出されて、チューブ１３内を通過する際、栄養剤Ｑ１と合流して、当該栄養剤Ｑ１のチューブ１３内での流動（通過）を補助するものである（図４および図５参照）。
【００４２】
このような潤滑剤Ｑ２としては、特に限定されないが、例えば、ゲル状をなすものが挙げられ、このようなものとしては、例えば、ゼラチン、ペクチン、寒天、カラギーナン等を含むゲル化剤等が挙げられる。
【００４３】
栄養剤Ｑ１は、前述したように半固形状をなすものであるので、単体で（栄養剤Ｑ１のみで）チューブ１３内を通過した場合、その流路抵抗（圧力損失）が比較的大きくなる。このため、栄養剤Ｑ１単体では、栄養剤Ｑ１がチューブ１３内で円滑に通過するのが極めて困難である。しかしながら、図４および図５に示すように、経管栄養剤投与セット１では、半固形状の栄養剤Ｑ１がチューブ１３内を通過する際、その外周が、ゲル状の潤滑剤Ｑ２によって囲まれる。これにより、栄養剤Ｑ１が潤滑剤Ｑ２とともに流れ、栄養剤Ｑ１のチューブ１３内での流路抵抗が抑制されて、その通過が円滑に行なわれる、すなわち、促進される。よって、栄養剤Ｑ１の迅速な投与が可能となる。
【００４４】
潤滑剤Ｑ２の粘度は、栄養剤Ｑ１の粘度よりも小さい。これにより、潤滑機能がより顕著に発揮される。潤滑剤Ｑ２の粘度としては、特に限定されないが、例えば、常温で１〜１００００ｃｐであるのが好ましく、１〜１０００ｃｐであるのがより好ましい。
【００４５】
なお、潤滑剤Ｑ２は、内バッグ２ｂ内に収納されている状態（常温）で既にゲル状（以下これを「既ゲル状」と言う）をなすものであるのに限定されず、例えば、栄養剤Ｑ１が含有する（栄養剤Ｑ１に含まれる）後述する所定のイオンと結合してゲル化するもの（ゲル化剤）の他、水（例えば、生理食塩水、蒸留水）や食用に適した油のような液状をなすものであってもよい。以下、潤滑剤Ｑ２がゲル化するものである場合について説明する。
【００４６】
例えば、栄養剤Ｑ１がカルシウムイオンを含むものである場合、潤滑剤Ｑ２は、ペクチンまたはカラギーナンを含むものであるのが好ましい。これにより、チューブ１３内で栄養剤Ｑ１と潤滑剤Ｑ２とが合流した際、これらの界面付近で潤滑剤Ｑ２中のペクチン（カラギーナンも同様）が栄養剤Ｑ１中のカルシウムイオンと結合し、ゲル化する。これにより、潤滑剤Ｑ２がゲル化し、前述した既ゲル状の潤滑剤Ｑ２と同様に作用する（機能する）。
【００４７】
また、栄養剤Ｑ１がカリウムイオンを含むものである場合、潤滑剤Ｑ２は、カラギーナンを含むものであるのが好ましい。これにより、チューブ１３内で栄養剤Ｑ１と潤滑剤Ｑ２とが合流した際、これらの界面付近で潤滑剤Ｑ２中のカラギーナンが栄養剤Ｑ１中のカリウムイオンと結合し、ゲル化する。これにより、潤滑剤Ｑ２がゲル化し、前述した既ゲル状の潤滑剤Ｑ２と同様に作用する。
【００４８】
以上のように、経管栄養剤投与セット１は、使用前の状態で、潤滑剤Ｑ２が第１の収納空間２３ｂに収納され、第１の収納空間２３ｂよりも外側の第２の収納空間２３ａに栄養剤Ｑ１が収納されている。すなわち、粘度のより高い栄養剤Ｑ１が、潤滑剤Ｑ２の外側に配置されるので、外バッグ２ａを押圧すれば、その押圧力を栄養剤Ｑ１のみならず潤滑剤Ｑ２にも均一かつ確実に付与することができる。これにより、栄養剤Ｑ１および潤滑剤Ｑ２を、それぞれ、第２の収納空間２３ａおよび第１の収納空間２３ｂから確実に排出することができる。
【００４９】
これに対して、栄養剤Ｑ１と潤滑剤Ｑ２との配置関係を逆にした場合、すなわち、第１の収納空間２３ｂに栄養剤Ｑ１を収納し、第２の収納空間２３ａに潤滑剤Ｑ２を収納した場合、潤滑剤Ｑ２は、栄養剤Ｑ１より粘度が低いため、外バッグ２ａを押圧すると、その押圧力のほとんどが潤滑剤Ｑ２を排出する力としてのみ働き、効率よく内側に配置された栄養剤Ｑ１に伝達されない。このため、栄養剤Ｑ１および潤滑剤Ｑ２のチューブ１３への排出のタイミングがズレてしまい、栄養剤Ｑ１がチューブ１３を円滑に通過できない場合がある。
【００５０】
次に、このような外バッグ２ａおよび内バッグ２ｂに接続されたノズル３について説明する。
【００５１】
図１に示すように、ノズル３は、外バッグ２ａ内に挿入されており、内バッグ２ｂと液密に固定された第１の基部５１と、該第１の基部５１よりも先端側に設けられ、外バッグ２ａと液密に固定された第２の基部８１とを有している。また、図２および図３に示すように、ノズル３は、ノズル本体５と、このノズル本体５の外側に設けられた先端ノズルとを有している。
【００５２】
ノズル本体５は、ほぼ円筒状をなす内管６と、内管６の外周側に設けられたほぼ円筒状をなす外管７と、外管７の基端外周部に設けられたボート状の第１の基部５１と、を備えている。
【００５３】
内管６と外管７とは、同心的に設けられている。また、内管６と外管７とは、内管６と外管７との間に部分的に形成された接続部５２において接続され、一体的に形成されている。
【００５４】
外管７の基端外周部には、第１の基部５１が一体的に形成されている。この第１の基部５１は、その両側面側がそれぞれ、例えば溶着、接着等の方法により、内バッグ２ｂを構成するシート材が液密に固定されている。また、第１の基部５１の長手方向のほぼ中央部には、基端面に開口する凹部５１１が形成され、この凹部５１１が内バッグ２ｂの第１の収納空間２３ｂと連通している。
【００５５】
このような構成により、内管６の内部には、横断面がほぼ円形状をなす内流路５３が形成され、内管６と外管７との間には、横断面がほぼ円弧状（Ｕ字状）をなす外流路５４が形成されている。この外流路５４は、外管７の基端部に形成された開口部を介して凹部５１１と連通している。これにより、外流路５４は、内バッグ２ｂの第１の収納空間２３ｂと連通することとなる。
【００５６】
また、第１の基部５１よりも先端側の外管７の外周部には、側方に突出する平板状の取付部７１が形成されている。この取付部７１には、先端ノズル８が液密に固定されている。また、この先端ノズル８には、後述するように、外バッグ２ａが液密に固定される第２の基部８１が形成されている。
【００５７】
さらに、ノズル本体５には、第１の基部５１よりも先端側に、側方流路５５が形成されている。側方流路５５は、横断面形状が四角形状であり、外管７の管壁と内管６の管壁とを貫通し、内管６の内流路５３に臨む開口部を有する貫通管５６で構成されている。そして、この側方流路５５を介して、内流路５３が外バッグ２ａの第２の収納空間２３ａと連通する。
【００５８】
また、内管６には、貫通管５６の、内流路５３に開口する開口部５６１よりも基端側の壁部が、内流路５３と第１の収納空間２３ｂとを隔てる隔壁部５６２として機能している（図３参照）。
【００５９】
このような構成により、外バッグ２ａから排出された栄養剤Ｑ１は、側方流路５５および内流路５３を順に通過するとともに、内バッグ２ｂから排出された潤滑剤Ｑ２は、凹部５１１、外流路５４の凹部５１１に開口する開口部５４１および外流路５４を通過して、それぞれノズル３の先端部（チューブ１３）に向かう。そして、本実施形態では、先端ノズル８内で合流する。
【００６０】
なお、本実施形態では、側方流路５５は、内管６の中心軸周りに等間隔に２つ形成されている。また、貫通管５６の基端側壁および隔壁部５６２は、第１の基部５１の先端面と同一平面として形成されている。これにより、外バッグ２ａから排出された栄養剤Ｑ１が滞留することなくスムーズにノズル３先端部に向かって流れる。
【００６１】
また、内管６と外管７とは、前述したように同心的に設けられているが、これに限定されず、偏心して設けられていてもよい。なお、内管６と外管７とを同心的に設けることにより、栄養剤Ｑ１と潤滑剤Ｑ２とが合流した際に、栄養剤Ｑ１の外側に潤滑剤Ｑ２の均一な層（膜）が形成され易いという利点がある。
【００６２】
ノズル本体５の先端側には、先端ノズル８が設けられている。この先端ノズル８は、第２の基部８１と、この第２の基部８１に突出して設けられた管状部８２とを備えている。
【００６３】
第２の基部８１は、ボート状をなし、その長手方向の途中のほぼ中央部には、基端面に第２の収納空間２３ａに臨む開口が設けられた凹部８１１が形成されている。管状部８２の内腔部は、第２の基部８１の先端部に形成され、第２の基部８１をその厚さ方向に貫通する円形の貫通孔を介して凹部８１１と連通している。
【００６４】
凹部８１１と管状部８２の内腔部とが連通する貫通孔８１２を介して内管６および外管７を管状部８２の内腔部に挿入し、取付部７１を凹部８１１に挿入する。そして、取付部７１を凹部８１１に嵌合させることにより、ノズル本体５が先端ノズル８に液密に固定されている。なお、取付部７１の第２の基部８１への固定方法には、嵌合の他、例えば、溶着、接着、螺合等の方法を用いることもできる。
【００６５】
なお、第２の基部８１は、その両側面側がそれぞれ、例えば溶着、接着等の方法により、外バッグ２ａを構成するシート材に液密に固定されている。このように、ノズル３は、第２の基部８１と取付部７１により、外バッグ２ａを構成するシート材に液密に固定される。つまり、本実施形態において、ノズル３の第２の基部８１は、第１の基部５１よりも先端側の外管７の外周部に設けられた第２の基部８１と取付部７１とから構成されている。
【００６６】
管状部８２は、その内径が先端に向かって漸減しており、ノズル本体５の外流路５４から排出された潤滑剤Ｑ２の流れを内流路５３の中心軸の方向へ向かって規制する機能を有する。これにより、外バッグ２ａおよび内バッグ２ｂからそれぞれ排出された栄養剤Ｑ１の全周を潤滑剤Ｑ２で囲んだ状態とし易くなる。
【００６７】
この管状部８２の先端部外周には、チューブ１３のコネクタ１３１が嵌合により液密的に接続される（以下この状態を「チューブ接続状態」と言う）。チューブ接続状態では、側方流路５５および内流路５３を介して、第２の収納空間２３ａとチューブ１３内とが連通し、外流路５４を介して、第１の収納空間２３ｂとチューブ１３内とが連通する。これにより、栄養剤Ｑ１を無菌的に投与することができる。このように、管状部８２は、その先端部がチューブ１３が接続されるチューブ接続部としても機能する。
【００６８】
また、本実施形態では、管状部８２の内腔部内において、内管６が外管７の先端７２から突出している。これにより、外流路５４から横断面視でＣ字状（円弧状）をなすように排出された潤滑剤Ｑ２を、管状部８２内で、栄養剤Ｑ１の全周を囲む横断面視でＯ字状をなすようにすることができる。このため、栄養剤Ｑ１のチューブ１３内の通過がより促進される（通過性がより向上する）ようになる。
【００６９】
また、図３に示すように、管状部８２は、外管７より先端側の内管６との間で画成され、外流路５４と連通する外流路延長部８２１を有している。そして、この外流路延長部８２１内には、すなわち、内管６の先端外周面には、その外径が拡径した拡径部（突部）６１が形成されている。この拡径部６１は、外流路延長部８２１を通過する潤滑剤Ｑ２の流量を規制する流量規制部として機能する。これにより、粘度が低い潤滑剤Ｑ２の流量を規制し、潤滑剤Ｑ２のみが多く排出されることを防止することで、最後まで確実に潤滑剤Ｑ２が栄養剤Ｑ１の全周を囲んだ状態を維持することができる。
【００７０】
ノズル３の構成材料としては、硬質材料で構成されていることが好ましい。この硬質材料としては、例えば、硬質ポリ塩化ビニル、ポリエチレン、ポリプロピレン、ポリブタジエンのようなポリオレフィン、ポリスチレン、ポリ−（４−メチルペンテン−１）、ポリカーボネート、ＡＢＳ樹脂、アクリル樹脂、ポリメチルメタクリレート（ＰＭＭＡ）、ポリアセタール、ポリアリレート、ポリアクリロニトリル、ポリフッ化ビニリデン、アイオノマー、アクリロニトリル−ブタジエン−スチレン共重合体、ポリエチレンテレフタレート（ＰＥＴ）、ポリブチレンテレフタレート（ＰＴＢ）のようなポリエステル、ブタジエン−スチレン共重合体、芳香族または脂肪族ポリアミド等の各種樹脂、あるいはこれらを任意に組み合わせたもの等が挙げられる。また、このような材料の中でも、特に、ＥＯＧ滅菌（エチレンオキサイドガス滅菌）、ガンマ線滅菌、電子線滅菌、蒸気滅菌、熱水滅菌の各種滅菌に対して耐久性を有するものがより好ましい。
【００７１】
このような構成の経管栄養剤投与セット１では、チューブ接続状態で経管栄養を行なう際、例えば、手の平等で、外バッグ２ａの中央部を圧迫する。このとき、栄養剤Ｑ１は、第２の収納空間２３ａから排出されて、側方流路５５および内流路５３を順に通過し、潤滑剤Ｑ２は、第１の収納空間２３ｂから排出されて、外流路５４を通過する。そして、栄養剤Ｑ１と潤滑剤Ｑ２とは、先端ノズル８（管状部８２）内で合流する。
【００７２】
このとき、図５（図４も同様）に示すように、栄養剤Ｑ１と潤滑剤Ｑ２とが合流した際には、潤滑剤Ｑ２が栄養剤Ｑ１よりも外側を流れる。すなわち、栄養剤Ｑ１が中心部を通過し、潤滑剤Ｑ２が栄養剤Ｑ１を囲むように通過する。これにより、前述したように、栄養剤Ｑ１のチューブ１３内の通過が促進される（通過性が向上する）。よって、栄養剤Ｑ１が充分に投与され、また、栄養剤Ｑ１を投与するのに要する投与時間も短縮することができる。
【００７３】
特に、経管栄養剤投与セット１では、未使用状態で、粘度のより高い栄養剤Ｑ１が、潤滑剤Ｑ２の外側に配置されるので、使用時に外バッグ２ａを押圧すれば、その押圧力を栄養剤Ｑ１のみならず潤滑剤Ｑ２にも均一かつ確実に付与することができる。これにより、栄養剤Ｑ１および潤滑剤Ｑ２を、それぞれ、第２の収納空間２３ａおよび第１の収納空間２３ｂから確実に排出することができる。かかる観点からも、栄養剤Ｑ１を充分に投与することができるとともに、栄養剤Ｑ１を投与するのに要する投与時間も確実に短縮される。
【００７４】
なお、ノズル３では、内管６（内流路５３）の平均内径φＤは、外管７と内管６との間隙（外流路５４）の平均間隙距離ｔよりも大きく設定されている（図２参照）。これにより、ノズル３から流出して、チューブ１３内を通過する潤滑剤Ｑ２で構成される層（膜）の厚さをできる限り小さくすることができ、よって、栄養剤Ｑ１を主とした投与が可能となる。
【００７５】
＜第２実施形態＞
図６は、本発明の経管栄養剤投与セット（第２実施形態）のノズルの縦断面図である。
【００７６】
以下、この図を参照して本発明の収納容器および経管栄養剤投与セットの第２実施形態について説明するが、前述した実施形態との相違点を中心に説明し、同様の事項はその説明を省略する。
【００７７】
本実施形態は、外管の長さが異なること以外は前記第１実施形態と同様である。
図６に示すように、本実施形態の経管栄養剤投与セット１では、ノズル３の外管７Ａの長さが前記第１実施形態でのノズル３の外管７よりも短い。すなわち、ノズル３の外管７Ａの先端７２が、その長手方向で、取付部７１の先端面と同じ位置に位置している。このように外管７Ａの長さが短い分、ノズル本体５を製造する際、その構成材料の使用量を抑えることができる。また、当該箇所の長さが長くなると、この部分（外流路５４）を形成するコアピン（金型）が細長くなり、強度不足が懸念される。従って、この部分が短いことにより、生産性を安定化させることができる。
【００７８】
以上、本発明の収納容器および経管栄養剤投与セットを図示の実施形態について説明したが、本発明は、これに限定されるものではなく、収納容器および経管栄養剤投与セットを構成する各部は、同様の機能を発揮し得る任意の構成のものと置換することができる。また、任意の構成物が付加されていてもよい。
【００７９】
例えば、先端ノズルを省略することもできる。この場合、取付部に外バッグを構成するシート材が液密に固定される。つまり、取付部が第２の基部となる。また、この場合、内管と外管とは、それらの先端が一致するように形成するか、内管の先端が外管の先端よりも基端側に位置するように形成するのが好ましい。これにより、外管の先端部外周に、チューブの基端部を接続する際に、内管が邪魔になるのを−防止することができる。また、この場合、内流路５３を通過した栄養剤Ｑ１と、外流路５４を通過した潤滑剤Ｑ２とは、内管より先端側のチューブ内で合流する。
【００８０】
なお、先端ノズルを省略した場合には、ノズル（ノズル本体）内では、内流路と外流路とが合流しないようにすることができる。これにより、例えば栄養剤と潤滑剤とが接してこれらが反応する場合、ノズル内に栄養剤および潤滑剤が残留しても、前記反応を確実に防止することができる。
【００８１】
また、前記実施形態では、外バッグおよび内バッグの基端部（縁部）同士は、連結されていないが、これらは、連結されていてもよい。これにより、外バッグと内バッグとの位置ズレが防止でき、よって、これらのバッグを一括してより圧迫し易くなる。これにより、栄養剤および潤滑剤をそれぞれ確実に排出することができる。
【００８２】
また、ノズルの先端部外周には、その外径が急峻に変化する段差部を複数形成するようにしてもよい。これにより、チューブのコネクタを接続した際、各段差部がチューブのコネクタ内周に係合することとなり、よって、チューブが不本意に離脱する（抜け落ちる）のが確実に防止される。
【００８３】
また、潤滑剤（第１の流体）にも栄養分が含まれていてもよい。
また、第１の流体と第２の流体とは、それぞれ、潤滑剤と栄養剤とに限定されず、粘度の高い流体をチューブ等で流す際に、粘度の低い流体で周囲を覆う場合にも使うことができる。
【００８４】
また、流量規制部は、内管の先端外周面に突出形成された突部で構成されているが、これに限定されず、例えば、先端ノズルの管状部の内周面に突出形成された突部で構成されていてもよい。
【符号の説明】
【００８５】
１            経管栄養剤投与セット
１０          収納容器
２ａ          外バッグ（栄養剤バッグ）
２ｂ          内バッグ（潤滑剤バッグ）
２２          シール部
２３ａ        第２の収納空間
２３ｂ        第１の収納空間
３            ノズル
５            ノズル本体
５１          第１の基部
５１１        凹部
５２          接続部
５３          内流路
５４          外流路
５４１        開口部
５５          側方流路
５６          貫通管
５６１        開口部
５６２        隔壁部
６            内管
６１          拡径部
７、７Ａ      外管
７１          取付部
７２          先端
８            先端ノズル
８１          第２の基部
８１１        凹部
８１２        貫通孔
８２          管状部
８２１        外流路延長部
１３          チューブ（挿管用チューブ（可撓管））
１３１        コネクタ
Ｑ１          経管栄養剤（栄養剤（第２の流体））
Ｑ２          潤滑剤（第１の流体）
φＤ          平均内径
ｔ            平均間隙距離
【図１】
0005864318.tif 000002
【図２】
0005864318.tif 000003
【図３】
0005864318.tif 000004
【図４】
0005864318.tif 000005
【図５】
0005864318.tif 000006
【図６】
0005864318.tif 000007